(57)【特許請求の範囲】
【請求項１】
ＭＲＩ装置が設置された磁気遮蔽機能を有するＭＲＩ検査室内を除湿するＭＲＩ検査室の除湿構造であって、
前記ＭＲＩ検査室の外側に設置された除湿機と、
先端側が前記ＭＲＩ検査室内に開口し、基端側が前記除湿機の空気吸入口側に接続された吸気側配管と、
先端側が前記ＭＲＩ検査室内に開口し、基端側が前記除湿機の空気排気口側に接続された排気側配管と、を備え、
前記除湿機の除湿運転により、前記吸気側配管を通して前記ＭＲＩ検査室内の空気を吸入して除湿を行い、除湿された空気を前記排気側配管を通して前記ＭＲＩ検査室内に吹き出させ、
前記除湿機を内部に固定した除湿機ケースが、前記ＭＲＩ検査室に対して非接触状態で設けられ、
前記除湿機ケースの上方側に壁体が位置しており、前記壁体に取り付けた吊ボルトで前記除湿機ケースが、前記ＭＲＩ検査室に対して非接触状態で設けられることを特徴とするＭＲＩ検査室の除湿構造。
【請求項２】
前記除湿機は、前記ＭＲＩ検査室の天井面の外側に設置されていることを特徴とする請求項１に記載のＭＲＩ検査室の除湿構造。
【請求項３】
前記除湿機は、前記ＭＲＩ検査室の天井面の上方に形成されている壁体に固定された除湿機保持部材で保持されて、前記ＭＲＩ検査室の天井面とは非接触状態としていることを特徴とする請求項２に記載のＭＲＩ検査室の除湿構造。
【請求項４】
前記除湿機は、前記除湿機ケースで覆われていることを特徴とする請求項１乃至３のいずれか一項に記載のＭＲＩ検査室の除湿構造。
【請求項５】
前記吸気側配管及び前記排気側配管の途中に消音チャンバーが接続されていることを特徴とする請求項１乃至４のいずれか一項に記載のＭＲＩ検査室の除湿構造。
【請求項６】
前記吸気側配管及び前記排気側配管の内部に、複数の孔を有する電磁波遮蔽板が取り付けられていることを特徴とする請求項１乃至５のいずれか一項に記載のＭＲＩ検査室の除湿構造。
【発明の詳細な説明】
【技術分野】
【０００１】
本発明は、ＭＲＩ装置（磁気共鳴画像診断装置）が設置されたＭＲＩ検査室の除湿構造に関する。
【背景技術】
【０００２】
病院等ではＭＲＩ装置が設置されたＭＲＩ検査室を備えているところがあり、ＭＲＩ装置で被検者（患者）の所定部位を撮影（スキャン）し、別室のＭＲＩ装置操作室のコンピュータ装置によって、診断等に役立つ前記所定部位のＭＲＩ画像（断層画像）を得ることができる。
【０００３】
ＭＲＩ装置は、非常に強い磁場を発生するための超伝導磁石を有しているので、超伝導磁石を極低温に冷却するための冷却装置がＭＲＩ装置に接続されている。このため、ＭＲＩ装置自体も冷たくなる。
【０００４】
また、ＭＲＩ装置は動作時に強い磁場や電波ノイズを発生するために、ＭＲＩ装置で発生した磁場などがＭＲＩ検査室の外部に漏れないように、かつＭＲＩ検査室の外部から内部に電波ノイズなどが浸入しないように、電磁波を遮蔽する部材（以下、「電磁波遮蔽材」という）によってＭＲＩ検査室の壁面、天井面、床面等が構築されている（例えば、特許文献１）。
【先行技術文献】
【特許文献】
【０００５】
【特許文献１】特開２０００−２１０２６５号公報
【発明の概要】
【発明が解決しようとする課題】
【０００６】
ところで、ＭＲＩ検査室内が通常よりも高温多湿環境下になっていた状況からＭＲＩ装置を動作させたときなどにおいて、超伝導磁石を極低温に冷却する冷却装置によってＭＲＩ装置自体及びその周辺が冷たくなり、ＭＲＩ検査室内の空気も冷やされるため、ＭＲＩ検査室内の、特に隣接する他室（ＭＲＩ装置操作室など）と接している電磁波遮蔽材からなる壁面に結露が生じ易くなる。ＭＲＩ検査室内の壁面などに結露が生じると、電磁波遮蔽材によって形成されているＭＲＩ検査室の壁面などにさびやカビが発生する。
【０００７】
ＭＲＩ検査室内の壁面や天井面などに結露が生じるのを防止するために、ＭＲＩ検査室内に除湿機を設置することが考えられるが、除湿機から発生する電波ノイズがＭＲＩ装置の撮影動作に影響を及ぼし、得られるＭＲＩ画像にノイズが生じるおそれがある。
【０００８】
また、ＭＲＩ装置の動作時に発生する強い磁力によって、ＭＲＩ検査室内にボルト等で固定されていない金属製品などがあるとＭＲＩ装置（超伝導磁石）に引き付けられるので、ＭＲＩ検査室内に除湿機を設置しないことが望ましい。
【０００９】
そこで、本発明は、ＭＲＩ検査室内に除湿機を設置することなくＭＲＩ検査室内を除湿することができるＭＲＩ検査室の除湿構造を提供することを目的とする。
【課題を解決するための手段】
【００１０】
前記課題を解決するために、本発明に係るＭＲＩ検査室の除湿構造は、ＭＲＩ装置が設置された磁気遮蔽機能を有するＭＲＩ検査室内を除湿するＭＲＩ検査室の除湿構造であって、前記ＭＲＩ検査室の外側に設置された除湿機と、先端側が前記ＭＲＩ検査室内に開口し、基端側が前記除湿機の空気吸入口側に接続された吸気側配管と、先端側が前記ＭＲＩ検査室内に開口し、基端側が前記除湿機の空気排気口側に接続された排気側配管と、を備え、前記除湿機の除湿運転により、前記吸気側配管を通して前記ＭＲＩ検査室内の空気を吸入して除湿を行い、除湿された空気を前記排気側配管を通して前記ＭＲＩ検査室内に吹き出させることを特徴としている。
【発明の効果】
【００１１】
本発明によれば、ＭＲＩ検査室内に除湿機を設置することなくＭＲＩ検査室内の空気を除湿することができるので、ＭＲＩ検査室内の壁面等に結露が発生するのを防止でき、更に、除湿機から発生する電波ノイズがＭＲＩ装置の撮影動作に影響を及ぼすことも防止することができる。
【図面の簡単な説明】
【００１２】
【図１】本発明の実施形態に係るＭＲＩ検査室の除湿構造を示す概略断面図。
【図２】ＭＲＩ検査室の外観を示す概略斜視図。
【図３】除湿機を覆う除湿機ケースの分解斜視図。
【図４】除湿機を覆う除湿機ケースを示す斜視図。
【図５】排気用ダクトの先端側付近を示した拡大断面図。
【発明を実施するための形態】
【００１３】
以下、本発明を図示の実施形態に基づいて説明する。図１は、本発明の実施形態に係るＭＲＩ検査室の除湿構造を示す概略断面図である。
【００１４】
図１に示すように、ＭＲＩ装置１が設置されたＭＲＩ検査室２は、例えば病院等の建物内に構築されたコンクリート壁などの壁体３で区画された空間内に設けられている。
【００１５】
ＭＲＩ装置１は、超伝導磁石等を内蔵したＭＲＩ本体４と、被検者（患者）Ａが横になる寝台（ベッド）５と、冷却装置６と、隣接する別室のＭＲＩ装置操作室に設けた不図示の制御ユニットとしての表示装置を有するコンピュータ装置等を備えており、ＭＲＩ本体４で強磁界を発生させて、寝台５上の被検者Ａの所定部位を核磁気共鳴現象により撮影（スキャン）し、別室のＭＲＩ装置操作室のコンピュータ装置によって、診断等に役立つ前記所定部位の鮮明なＭＲＩ画像（断層画像）を生成して、表示装置に表示することができる。
【００１６】
冷却装置６は、ＭＲＩ本体４内の超伝導磁石（不図示）を液体ヘリウム等で極低温に冷却する機能と、ＭＲＩ本体４内の不図示の傾斜磁場コイル等や電源などを冷却液の循環によって冷却する機能を備えている。
【００１７】
ＭＲＩ検査室２の四方の壁面２ａ、天井面２ｂ、床面２ｃには、例えば板状の磁気遮蔽材（例えば、ケイ素鋼、純鉄など）を取り付けた構造体が設置されて、磁気遮蔽室が構築されている。壁面２ａや天井面２ｂは、複数のパネル状の構造体を連結して構成されている。なお、前記構造体には、例えば板状の電波遮蔽材（銅など）も併せて取り付けて、電波ノイズも遮蔽するようにしている。このように、ＭＲＩ検査室２は、磁気遮蔽機能及び電波遮蔽機能を有している。
【００１８】
各壁面２ａの室内側の表面には化粧板（不図示）が取り付けられ、天井面２ｂの下方側には所定の間隔を設けて天井板７が吊り下げられるようにして取り付けられている。床面２ｃ上には床材（不図示）が取り付けられている。なお、図２に示すように、ＭＲＩ検査室２の一壁面に形成された開口部には、スライド可能な引き戸式ドア８が取り付けられている。この引き戸式ドア８には、板状の電波遮蔽材（ステンレスなど）が設置されており、電磁波を遮蔽することができる。
【００１９】
ＭＲＩ検査室２の天井面２ｂの外側面側には、図１に示すように、ＭＲＩ検査室２内を除湿するための除湿機１０が設置されている。
【００２０】
除湿機１０は、図１、図２に示すように、その外面全体が矩形状の除湿機ケース１１で覆われて、除湿機ケース１１内のケース下面１１ａ（図３参照）に固定されている。除湿機ケース１１は、例えば鋼板によって形成されている。除湿機ケース１１の上方側には、建物のコンクリート壁などの壁体３（図１参照）が位置しており、この壁体３に取り付けた吊ボルト１２（図１参照）で除湿機ケース１１が天井面２ｂの外側面と非接触状態で保持されている。除湿機１０には、不図示の電源コード、排水管等が接続されている。
【００２１】
このように、除湿機１０を内部に固定した除湿機ケース１１が、天井面２ｂの外側面との間に所定の隙間を設けて非接触状態にあるので、除湿機１０を除湿運転したときの振動が天井面２ｂを介してＭＲＩ検査室２内に伝わることを防止することができる。
【００２２】
除湿機ケース１１は、図３に示すように、ケース下面１１ａの長辺両側に位置する第１、第２カバー１１ｂ，１１ｃと、ケース下面１１ａの短辺両側に一体的に形成された第３、第４カバー１１ｄ，１１ｅと、第１カバー１１ｂの上部に一体的に形成された第５カバー１１ｆとで構成されている。除湿機１０を内部に固定したケース下面１１ａの長辺両側に第１、第２カバー１１ｂ，１１ｃの下部をネジ止めし、第５カバー１１ｆの先端側を第２カバー１１ｃのフランジにネジ止めすることで、図４に示すように、除湿機１０を内部に固定した除湿機ケース１１が得られる。
【００２３】
第３、第４カバー１１ｄ，１１ｅに形成された各ダクト接続開口部１１ｇ，１１ｈには、それぞれ吸気用ダクト１３と排気用ダクト１４の基端側が接続されており、吸気用ダクト１３と排気用ダクト１４の先端側は、天井面２ｂと天井板７に形成した貫通孔を通してＭＲＩ検査室２内の天井側に開口している。除湿機ケース１１の空気吸入口側に吸気用ダクト１３の基端側が接続され、除湿機ケース１１の空気排気口側に排気用ダクト１４の基端側が接続されている。吸気用ダクト１３と排気用ダクト１４は、例えば鋼板によって形成されている。
【００２４】
図５は、排気用ダクト１４の先端側（ＭＲＩ検査室２側）付近を示した拡大断面図である。なお、吸気用ダクト１３の先端側付近の構造も略同様であるため、排気用ダクト１４側についてのみ説明する。
【００２５】
図５に示すように、排気用ダクト１４の途中には消音チャンバー１５が接続されており、排気用ダクト１４のダクト先端部１４ａ側は、天井面２ｂに形成した貫通孔２ｄを通して天井板７に形成した吹出口７ａの周囲に接続されている。吹出口７ａには、複数の吹出穴を有する樹脂製の吹出口フェース１６が取り付けられている。天井面２ｂの貫通孔２ｄの下部には、電磁波を遮蔽するハニカム構造の電磁波遮蔽板１７が取り付けられている。
【００２６】
消音チャンバー１５は、除湿機１０の運転音を低減するものであり、消音効果を高めるために内部に、不図示の吸音材や邪魔板などが設けられている。
【００２７】
このように、排気用ダクト１４（吸気用ダクト１３）の途中に消音チャンバー１５を設けているので、除湿機１０から発せられる運転音が低減され、更に、電磁波遮蔽板１７によって、除湿機１０から発せられる電波ノイズのＭＲＩ検査室２内への漏れが低減される。なお、電磁波遮蔽板１７は、ＭＲＩ装置１の動作時に発生する強い電波の天井面２ｂ外への漏れも低減する。
【００２８】
除湿機１０は、例えば内部に不図示の蒸発器、凝縮機、送風ファンなどを有している。なお、除湿機１０は周知のものを使用しており、詳細な構成、動作等の説明は省略する。除湿機１０の除湿運転によって送風ファンが回転されると、吸気用ダクト１３を通してＭＲＩ検査室２内の空気を除湿機１０の吸入口から取り込み、蒸発器と凝縮機を介して除湿された空気ａを、除湿機１０の吹出口から排気用ダクト１４、消音チャンバー１５、ダクト先端部１４ａを通して吹出口フェース１６からＭＲＩ検査室２内に吹き出すことで、ＭＲＩ検査室２内を除湿することができる。なお、除湿機１０の除湿運転によって出るドレン排水は、不図示の排水管を通して排水タンクに排出される。
【００２９】
このように、本実施形態のＭＲＩ検査室の除湿構造によれば、仮にＭＲＩ装置１の動作前にＭＲＩ検査室２内が通常よりも高温多湿環境下になっていた場合でも、ＭＲＩ検査室２内でＭＲＩ装置１を動作させているときに、天井面２ｂの外側面側に設置した除湿機１０を除湿運転することで、ＭＲＩ検査室２内に除湿機を設置することなくＭＲＩ検査室２内の空気を除湿することができる。これにより、超伝導磁石を極低温に冷却する冷却装置６によってＭＲＩ装置１（ＭＲＩ本体４）自体及びその周辺が冷たくなり、ＭＲＩ検査室２内の空気が冷やされても、ＭＲＩ検査室２内の壁面２ａに結露が発生するのを防止することができる。
【００３０】
更に、本実施形態のＭＲＩ検査室の除湿構造によれば、除湿機１０を天井面２ｂの外側面側に設置し、かつ除湿機１０を除湿機ケース１１で覆い、排気用ダクト１４（吸気用ダクト１３）内に電磁波遮蔽板１７を取り付けているので、除湿機１０の除湿運転時に発生する電波ノイズがＭＲＩ検査室２内に漏れることはない。よって、除湿機１０から発生する電波ノイズがＭＲＩ装置１の撮影動作に影響を及ぼすことはなく、高品質なＭＲＩ画像を得ることができる。
【００３１】
なお、前記した実施形態では、除湿機１０を天井面２ｂの外側面側に設置した構成であったが、これに限らず、例えば引き戸式ドア８を設けた壁面２ａの外側の床などに設置してもよい。また、前記した実施形態では、吸気用ダクト１３と排気用ダクト１４の先端側を天井面２ｂ側からＭＲＩ検査室２内に接続する構成であったが、いずれかの壁面２ａ側からＭＲＩ検査室２内に接続する構成でもよい。
【符号の説明】
【００３２】
１        ＭＲＩ装置
２        ＭＲＩ検査室
３        壁体
４        ＭＲＩ本体
５        寝台
６        冷却装置
７        天井板
１０      除湿機
１１      除湿機ケース
１２      吊ボルト（除湿機保持部材）
１３      吸気用ダクト（吸気側配管）
１４      排気用ダクト（排気側配管）
１５      消音チャンバー
１７      電磁波遮蔽板
【図１】
0006399551.tif 000002
【図２】
0006399551.tif 000003
【図３】
0006399551.tif 000004
【図４】
0006399551.tif 000005
【図５】
0006399551.tif 000006